(57)【要約】【課題】洗顔用洗剤や石鹸と水を含んだブラシを押し付けてかき混ぜさせることにより、皮膚の毛穴に浸み込むような微細な径の泡を容易かつ大量に形成できる泡立用器具を提供する。【解決手段】泡立用器具１０は、長方形の平坦な薄板で中央に曲面状に膨らんで反対側が湾曲凹面１７となっている膨出部１６を有する基部１２と、基部１２の対向する一対の側縁にて膨出部１６側に延びた一対の支持板部１３を有し、湾曲凹面１７の複数個所にて円柱状で先端が半球状に丸められた複数の突起１８を設けている。突起１８は直径が１〜５ｍｍφで高さが１〜５ｍｍであり、各突起１８間の間隔が突起１８の直径の０．５〜１．５倍である。【選択図】図１
2008132020.tif 000002
【特許請求の範囲】
【請求項１】
平板状で中央が曲面状に凹んだ湾曲凹面となっており、該湾曲凹面の複数個所に円柱状で先端が凸曲面状に丸められた複数の突起を設けており、該突起は直径が１〜５ｍｍφで且つ高さが１〜５ｍｍであり、各突起間の間隔が突起の直径の０．５〜１．５倍であることを特徴とする泡立用器具。
【請求項２】
長方形の平坦な薄板で中央に曲面状に膨らんで主表面側が湾曲凹面となっている膨出部を有する基部と、該基部の対向する一対の側縁にて該膨出部側に延びた一対の支持板部を有し、該湾曲凹面の複数個所に円柱状で先端が凸曲面状に丸められた複数の突起を設けており、該突起は直径が１〜５ｍｍφで且つ高さが１〜５ｍｍであり、各突起間の間隔が突起の直径の０．５〜１．５倍であることを特徴とする泡立用器具。
【請求項３】
平板状で、一表面側の複数個所に円柱状で先端が凸曲面状に丸められた複数の突起を設けており、該突起は直径が１〜５ｍｍφで且つ高さが１〜５ｍｍであり、各突起間の間隔が突起の直径の０．５〜１．５倍であり、上端が開放された容器内の底面に該突起を上に向けて載置されることを特徴とする泡立用器具。
【請求項４】
上端開放の容器であって、該容器の底面の複数個所に円柱状で先端が凸曲面状に丸められた複数の突起を設けており、該突起は直径が１〜５ｍｍφで且つ高さが１〜５ｍｍであり、各突起間の間隔が突起の直径の０．５〜１．５倍であることを特徴とする泡立用器具。
【発明の詳細な説明】
【技術分野】
【０００１】
本発明は、洗顔用洗剤や石鹸と水を含んだブラシを押し付けてかき混ぜさせることにより洗顔用の泡を作成するために用いられる泡立用器具に関する。
【背景技術】
【０００２】
洗顔を行うためには、一般的には手やブラシで洗顔用洗剤を顔にこすり付けて、肌に泡を浸み込ませることにより行われている。例えば、特許文献１に示すように、ハンドルに連続した植毛部に、第１、第２の２種類の毛束を、それぞれ複数、混合して植毛し、第１の毛束の長さを第２の毛束の長さより長くするとともに、第１の毛束を先端に向かって細くなるテーパー状にした合成樹脂製の毛で構成し、第２の毛束を、円柱状の合成樹脂製の毛で構成した洗顔用ブラシが知られている。この洗顔ブラシによれば、肌当たりがよくしかも毛穴の汚れまで取り除くことができる第１の毛束と、洗顔料の泡立ちをよくする第２の毛束との２種類の毛束を混合して植毛部に設けることにより、両毛束の機能を同時に備えることができるため、肌当たりが良く、しかも泡立ちを良くすることができる、というものである。しかし、洗顔ブラシでかき混ぜて洗剤を泡立てるだけでは、泡の径を毛穴程度の大きさまでに小さくすることができない。そのため、このような径の大きな泡を皮膚に塗っても泡が毛穴に入り込まないので、毛穴内の汚れを除くことができず、有効な洗顔方法とはいえなかった。
【特許文献１】実用新案登録第３１１４６１２号公報
【０００３】
これに代えて、ひげそりに用いるシェイビングブラシ等に洗剤を混ぜた水を含ませて、カップ等の容器の内部でかき混ぜて大量の泡を発生させ、この泡を皮膚に塗って放置したり手で軽くこすって毛穴に浸み込ませる方法もとられている。しかし、シェイビングブラシは、毛束の径が細く長さも短いため、含ませる水の量が少なく、また、毛束が豚等の硬い毛で形成されているためにかき混ぜ難く、その結果、顔面全体に塗るような大量の泡を形成するには長時間を要した。さらに、硬い毛で形成されたシェイビングブラシでかき混ぜても泡の径を皮膚の毛穴程度に小さくすることが非常に困難であった。そのため、このような径の大きな泡を皮膚に塗っても泡が毛穴に入り込まないので、毛穴内の汚れを除くことができず、満足な洗顔効果が得られなかった。
【発明の開示】
【発明が解決しようとする課題】
【０００４】
本発明は、上記問題を解決しようとするもので、洗顔用洗剤や石鹸と水を含んだブラシを押し付けてかき混ぜさせることにより、皮膚の毛穴に浸み込むような微細な径の泡を容易かつ大量に形成できる泡立用器具を提供することを目的とする。
【課題を解決するための手段】
【０００５】
上記目的を達成するために、本発明の構成上の特徴は、平板状で中央が曲面状に凹んだ湾曲凹面となっており、湾曲凹面の複数個所に円柱状で先端が凸曲面状に丸められた複数の突起を設けており、突起は直径が１〜５ｍｍφで且つ高さが１〜５ｍｍであり、各突起間の間隔が突起の直径の０．５〜１．５倍であることにある。なお、突起は、直径が１〜５ｍｍφであればよいが、好ましくは２〜３ｍｍφである。１ｍｍφより小さいとブラシに対する突起の抵抗が不十分になり泡の形成効率が悪くなり、また５ｍｍφより大きくなるとブラシに対する突起の抵抗が大きくなりすぎてブラシによるかき混ぜが不十分になる。また、突起の高さは、１〜５ｍｍであればよいが好ましく２〜３ｍｍである。高さが１ｍｍより低いとブラシに対する突起の抵抗が不十分になり泡の形成効率が悪くなり、また５ｍｍより高くなるとブラシに対する突起の抵抗が大きくなりすぎてブラシによるかき混ぜが不十分になる。また、各突起間の間隔は、突起の直径の０．５〜１．５倍であればよいが好ましくは０．８〜１．２倍である。各突起間の間隔が突起の直径の０．５倍より小さいと、ブラシが突起間を通りにくくなり、泡の形成が妨げられる。また、各突起間の間隔が突起の直径の１．５倍より大きいと、ブラシに対する突起の抵抗が小さくなり、泡の形成効率が非常に悪くなる。
【０００６】
上記のように構成した本発明においては、ブラシの毛束に洗顔用洗剤や石鹸と水を含ませて、毛束先端を泡立用器具の湾曲凹面に押し付けてかき混ぜることにより、毛束が湾曲凹面に適正に配置された適正な大きさの多数の突起に高速で接触する。これにより、発生した泡が毛束と突起の間でこすられて細かく潰され、その結果、皮膚の毛穴に浸み込むことができる微細な径の膨大な数の泡がスムーズに形成される。また、泡が毛束と突起の間でこすられて細かく潰されるため、従来は困難であった豚毛のような硬い獣毛で形成された安価な毛束を用いることによっても、皮膚の毛穴に浸み込むことができる微細な径の泡を形成することが可能になる。また、毛束をかき混ぜる部分が湾曲凹面となっているため、激しくかき混ぜても、泡の泡立用器具外への飛び出しを抑えることができる。このように形成された微細な径の泡を顔や皮膚に塗って放置したりあるいは軽くこすることにより、泡が毛穴に浸み込んで、毛穴に溜まった汚れを取り出すことができる。その結果、本発明においては、ブラシを形成する毛束の硬さによらず微細な径の泡を簡易に形成できるので便利である。
【０００７】
また、本発明の第２の特徴は、長方形の平坦な薄板で中央に曲面状に膨らんで主表面側が湾曲凹面となっている膨出部を有する基部と、基部の対向する一対の側縁にて膨出部側に延びた一対の支持板部を有し、湾曲凹面の複数個所にて円柱状で先端が凸曲面状に丸められた複数の突起を設けており、突起は直径が１〜５ｍｍφで且つ高さが１〜５ｍｍであり、各突起間の間隔が突起の直径の０．５〜１．５倍であることにある。
【０００８】
本発明においては、上述したと同様に、ブラシの毛束に洗顔用洗剤や石鹸と水を含ませて、毛束先端を泡立用器具の湾曲凹面に押し付けてかき混ぜることにより、泡が毛束と突起の間でこすられて細かく潰され、その結果、皮膚の毛穴に浸み込むことができる微細な径の泡が簡易に形成される。さらに、本発明においては、一対の支持板部が設けられていない側縁側において基部の曲面状の膨出部を手で下から支えることにより、手で泡立用器具を持つことができるので、その状態でブラシを湾曲凹面に当てて泡を作成することができるので便利である。
【０００９】
また、本発明の第３の特徴は、平板状で、一表面側の複数個所に円柱状で先端が凸曲面状に丸められた複数の突起を設けており、突起は直径が１〜５ｍｍφで且つ高さが１〜５ｍｍであり、各突起間の間隔が突起の直径の０．５〜１．５倍であり、上端が開放された容器内の底面に突起を上に向けて載置されることにある。泡立用器具は、接着剤や両面テープ等の固定手段を用いて容器の底面に固定することが好ましいが、場合によってはそのまま載置するのみでもよい。なお、容器としては、洗面器、バケツ、桶等が好ましい。
【００１０】
本発明においては、上述したと同様に、ブラシの毛束に洗顔用洗剤や石鹸と水を含ませて、毛束先端を泡立用器具の湾曲凹面に押し付けてかき混ぜることにより、泡が毛束と突起の間でこすられて細かく潰され、その結果、皮膚の毛穴に浸み込むことができる微細な径の泡が簡易に形成される。さらに、本発明においては、洗面器等の容器の底面に泡立用器具を載置して、ブラシをその表面にこすり付けることにより、形成された泡が容器内に収容されるので、泡のこぼれを心配することなく大量の泡を容易に形成することができる。そのため、本発明は、大量の泡を全身にこすりつけるような場合に便利である。また、泡立用器具は、容器底面から取り外すことにより、別の容器に取り付けて使用することができるので、汎用性も優れている。
【００１１】
また、本発明の第４の特徴は、上端開放の容器であって、容器の底面の複数個所に円柱状で先端が凸曲面状に丸められた複数の突起を設けており、突起は直径が１〜５ｍｍφで且つ高さが１〜５ｍｍであり、各突起間の間隔が突起の直径の０．５〜１．５倍であることにある。
【００１２】
本発明においては、上述したと同様に、泡立用器具の上端からブラシを挿入して毛束先端を容器底面に押し付けてかき混ぜることにより、皮膚の毛穴に浸み込むことができる微細な径の泡が簡易に形成される。さらに、本発明においては、泡立用器具の底面に突起が一体で設けられているため、ブラシをその表面にこすり付ける作業が容易に行われ、泡のこぼれを心配することなく大量の泡を容易に形成することができる。そのため、本発明は、大量の泡を全身にこすりつけるような場合に便利である。
【発明の効果】
【００１３】
本発明によれば、泡立用器具の中央の曲面状に凹んだ湾曲凹面の複数個所に、適正な寸法の円柱状で先端が凸曲面状に丸められた複数の突起が適正な間隔で配設されているため、ブラシの毛束に洗顔用洗剤や石鹸と水を含ませて、毛束先端を泡立用器具の湾曲凹面に押し付けてかき混ぜることにより、毛束が湾曲凹面に配置された多数の突起に高速で接触する。その結果、本発明によれば、発生した泡が毛束と突起の間でこすられて細かく潰されるので、ブラシの毛束の硬さにかかわらず、皮膚の毛穴に浸み込むことができる微細な径の膨大な数の泡を簡単に形成することができる。また、本発明においては、一対の支持板部が設けられていない側縁側において基部の曲面状の膨らみを手で下から支えることにより、簡単に泡立用器具を持つことができるので、ブラシを湾曲凹面に当てて泡を作成する作業を簡単に行うことができ便利である。さらに、本発明においては、平板状の泡立用器具を容器の底面に突起を上に向けて載置して使用することにより、容易に容器内に大量の泡を形成することができる。また、本発明においては、泡立用器具の容器底面に突起を一体で設けたことにより、容易に泡立用器具内に大量の泡を形成することができる
【発明を実施するための最良の形態】
【００１４】
以下、本発明の一実施例について図面を用いて説明する。図１〜図３は、実施例１である泡立用器具を用いたブラシ立付き泡立用器具を正面図、平面図及び右側面図により示し、図４はブラシ立付き泡立用器具の使用状態を正面図により示したものである。また、図５〜図１０は、泡立用器具を正面図、平面図、底面図、左側面図、右側面図及び断面図により概略的に示したものである。また、図１１〜図１３は、ブラシ立を正面図、底面図及び右側面図により示したものである。ブラシ立付き泡立用器具１０は、泡立用器具１１と、その表面右端中央位置に表面に対して垂直に取り付けられたブラシ立２１とにより構成されている。なお、ブラシ立付き泡立用器具１０の左右、前後、上下については図１における左右、前後、上下に合わせるものとする。
【００１５】
泡立用器具１１は、樹脂製で長方形の板状部材であり、長方形の基部１２と、その長辺方向の両側縁で一方向に円弧状に曲げられて略直角よりわずかに外方向に開いて真直ぐに延びた支持板部１３とを設けており、基部１２の支持板部１３との境が円弧状の曲げ部１４になっている。基部１２の上面には、両曲げ部１４内側の長方形の平坦部分の略全体において、横長の楕円形形状で環状に突出した環状突出部１５が設けられている。さらに、環状突出部１５の内側部分が支持板部１３側に全体として曲面状に膨出した膨出部１６になっており、膨出部１６の上表面が基部１２の平坦な上面から凹曲面形状に凹んだ湾曲凹面１７になっている。
【００１６】
湾曲凹面１７の全面には、多数の突起１８が所定の間隔で上面に対して垂直に突出して形成されている。突起１８は、円柱状でその上端が凸曲面である半球状に丸められており、直径が２ｍｍφで、高さが３ｍｍである。また、各突起１８間の間隔が突起１８の直径と同一寸法の２ｍｍとなっている。基部１２の右端の前後中央位置においては、円筒形の取付筒部１９が、右側曲げ部１４と右側の支持板部１３に跨ってかつ両者を貫通して支持板部１３の上下端間に一体で設けられている。取付筒部１９の右端部分は筒壁を上下に貫通したスリット状の隙間１９ａになっている。泡立用器具１１は、樹脂成形により一体で形成されるので安価に提供され、また軽量なので取り扱いに便利である。
【００１７】
ブラシ立２１は、樹脂製の板状部材であり、略Ｖ字状の外側縁部２２ａと内側縁部２２ｂとに挟まれた所定面積の略Ｖ字状に広がった薄板である把持板部２２を有しており、外側縁部２２ａの突出した頂部に突出方向に延びた短い丸棒である支持棒部２４を一体で設けている。把持板部２２の内側縁部２２ｂには、その厚さ方向に厚いＶ字状のリブ２３が一体で設けられている。支持棒部２４は、先端側の半分が根元側の半分に比べてわずかに小径の挿入部２５になっており、さらに挿入部２５の外周の把持板部２２と直交する１箇所には位置決め凸部２６が設けられている。挿入部２５は、上記取付筒部１９に挿入可能な外径になっており、位置決め凸部２６にて取付筒部１９の隙間１９ａに挿入可能になっている。ブラシ立２１は、樹脂成形により一体で形成されるので安価に提供され、また軽量なので取り扱いに便利である。ブラシ立２１は、支持棒部２４の挿入部２５を泡立用器具１１の取付筒部１９に挿嵌され、位置決め凸部２６を取付筒部１９の隙間１９ａに合わせて嵌合させることにより、図１〜図３に示すように、適正に位置合わせされた状態で取付筒部１９に取り外し可能に立設されてブラシ立付泡立用器具１０に組み立てられる。
【００１８】
ブラシ立付泡立用器具１０に使用される泡立ブラシ３０としては、例えば図１４〜図１７に示すように、馬の毛のような柔らかい獣毛が半分以上を占める円柱状の毛束３２の一端側を円環状のリング金具３６で締め付けると共に、毛束３２の一端側の中心部分に芯部材３４が挿入されてなるブラシ本体３１と、一端に設けた取付孔４５にブラシ本体３１がリング金具３６側にて挿嵌されて固定された棒状の柄部４１とを設けたものがある。
【００１９】
毛束３２は、本実施例では柔らかい獣毛である馬の毛と山羊の毛がそれぞれ１／３、硬い化繊の毛が１／３を混ぜ合わせたものであるが、これに限らず、種々のブラシに通常用いられる豚や穴熊の毛のような硬い獣毛のみのものや、その他の毛の組み合わせのものでもよい。毛束３２は、リング金具３６で締め付けられた根元部から先端に向けて軸心に対して径方向外方にわずかに広がった円錐状であり、先端面が軸方向外方にわずかに膨出した凸曲面状になっている。図２、図３に示すように、毛束３２の一端側（図２の下端）の中心には、樹脂製の短い丸棒状の芯部材３４が挿入されている。芯部材３４は、直径がリング金具３６の直径の略１／４で、長さがリング金具３６と同等である。
【００２０】
リング金具３６は、所定幅の金属薄板を芯部材３４の挿入された毛束３２の一端側に巻きつけて締め付けることにより円環形にされたものである。リング金具３６の締付けに対して、毛束３２の一端側の中心に芯部材３４が埋設されていることにより、毛束３２が強力に締め付けられて毛の抜けが防止され、さらに毛束３２が先端側に向けてわずかに広がるようにされる。リング金具３６で締め付けられた毛束３２の一端側には、接着剤が含浸される。さらに、最終的に毛束３２を含むリング金具３６の軸方向外側が樹脂製の接着剤層３８で固められ、ブラシ本体３１に形成される。
【００２１】
柄部４１は、図１６，図１７に示すように、木製の柱状であって、その上端４３ａと下端４４ａが長手方向に対して直角な平坦面となっており、軸方向の中間部分が全周にわたって軸心方向に向けて曲面状に凹んだ凹み部４２になっている。柄部４１の凹み部４２を挟んだ軸方向の一端側がほぼ円筒状で長さの短い取付部４３であり、軸方向の他端側が他端近傍を中心として軸方向の両側に広がる径方向外方に山状に膨らんだ膨れ部４４になっており、全体として略ひょうたん形状になっている。膨れ部４４の外径は、毛束３２の外径よりわずかに大きくされている。これにより、柄部４１の膨れ部４４を手で握って指先を凹み部４２に当てることにより、手で容易に把持できる形状になっている。取付部４３には、他端面から凹んだ円形の取付孔４５が設けられている。取付孔４５は、内径が上記リング金具３６、接着剤層３８の外径よりわずかに小さく、その深さは、リング金具３６の軸方向長さの略半分と接着剤層３８の軸方向長さを合わせた長さになっている。上記ブラシ本体３１をリング金具３６側から柄部４１の取付孔４５に圧入によって挿嵌して柄部４１に固定することにより、泡立ブラシ３０が得られる。
【００２２】
上記のように構成した本実施例１においては、通常はブラシ立２１を取り外した単体の泡立用器具１１をその一対の支持板部１３が設けられていない側縁側において基部１２の曲面状の膨出部１６を手で下から支えることにより使用される。この泡立用器具１１に対して、泡立ブラシ３０の棒状の柄部４１を手で握って、毛束３２に洗顔用洗剤を混ぜた水を含ませて、毛束先端を泡立用器具１１の湾曲凹面１７に押し付けてかき混ぜることにより、毛束３２が湾曲凹面１７に適正に配置された適正な大きさの多数の突起１８に高速で接触する。これにより、発生した泡が毛束３２と突起１８の間でこすられて細かく潰され、その結果、皮膚の毛穴に浸み込むことができる微細な径の膨大な数の泡が形成される。また、本実施例１においては、発生した泡が毛束３２と突起１８の間でこすられて細かく潰されるため、従来は困難であった豚毛のような硬い獣毛で形成された安価な毛束を用いることによっても、皮膚の毛穴に浸み込むことができる微細な径の膨大な数の泡を簡易に形成することが可能になる。
【００２３】
また、泡立用器具１１において毛束３２を当てる部分が湾曲凹面１７となっているため、泡立ブラシ３０で激しくかき混ぜても、形成された泡の泡立用器具１１外への飛び出しを抑えることができる。このように形成された微細な径の泡を顔や皮膚に塗って放置したりあるいは軽くこすることにより、泡が毛穴に浸み込んで、毛穴に溜まった汚れを取り出すことができる。また、本実施例１においては、泡立用器具１１の一対の支持板部１３が設けられていない側縁側において基部１２の曲面状の膨出部１６を手で下から支えることにより、簡単に泡立用器具１１を持つことができ、その状態で泡立ブラシ３０を湾曲凹面１７に当てることにより簡単に微細な泡を作成することができるので便利である。
【００２４】
泡立用器具１１を用いて泡立ブラシ３０による泡立を行った後は、ブラシ立２１を泡立用器具１１の円筒形の取付筒部１９に立てて、ブラシ立付き泡立用器具１０とする。さらに、図４に示すように、ブラシ立２１に対して泡立ブラシ３０を毛束３２が泡立用器具１１上に配置されるように傾けた状態で、柄部４１の凹み部４２をブラシ立２１の内側縁に挿入し、膨れ部４４をブラシ立２１に係合させてブラシ立２１に取り付ける。これにより、毛束３２に付着した水分が湾曲凹面１７内に垂れて、毛束３２の水分が自然に除去される。その結果、毛束３２が水分によって腐食するという不具合を回避できる。
【００２５】
なお、上記実施例１においては、ブラシ立付き泡立用器具１０について示されているが、これに代えて、ブラシ立２１を除いて単に泡立用器具１１のみとすることができる。また、泡立用器具１１として、上記実施例１に示した形状に限らず、単に厚板の表面に湾曲凹面を設けて、湾曲凹面に突起を形成したものでもよい。
【００２６】
つぎに、実施例２について図面を用いて説明する。図１８は、実施例２である泡立用器具を平面図により示し、図１９は泡立用器具の使用状態を一部破断正面図により示したものである。泡立用器具５１は、樹脂製で円形の板状部材であり、基部５２の上面の外周縁には全周に沿ってわずかに突出した環状の突出部５３を有しており、上面のほぼ全面には、多数の突起５４が所定の間隔で上面に対して垂直に突出して形成されている。突起５４の直径、高さ、配置の間隔等については、実施例１に示した突起１８と同様である。この泡立用器具５１は、図１９に示すように、洗面器５６内の底面上に載置される。この場合、泡立用器具５１は、接着剤や両面テープ等の固定手段を用いて洗面器５６の底面に固定することが好ましいが、場合によってはそのまま載置するのみでもよい。なお、泡立用器具５１の形状は、円形には限らない。
【００２７】
実施例２においては、上記実施例１と同様に、泡立ブラシ３０の毛束３２に洗顔用洗剤や石鹸と水を含ませて、毛束先端を泡立用器具５１の表面に押し付けてかき混ぜることにより、泡が毛束３２と突起５４の間でこすられて細かく潰され、その結果、皮膚の毛穴に浸み込むことができる微細な径の泡が簡易に形成される。さらに、実施例２においては、洗面器５６の底面に泡立用器具５１を載置して、毛束３２をその表面にこすり付けることにより、形成された泡が洗面器５６内に収容されるので、泡のこぼれを心配することなく大量の泡を容易に形成することができる。そのため、実施例２の泡立用器具５１は、大量の泡を全身にこすりつけるような場合に使用すると非常に便利である。また、泡立用器具５１は、洗面器５６から取り外すことにより、別の洗面器やバケツ等の容器に取り付けて使用することができるので、汎用性も優れている。
【００２８】
つぎに、実施例３について図面を用いて説明する。図２０は、実施例３である泡立用器具を一部破断正面図により示したものである。泡立用器具６１は、上端開放の容器として樹脂製で円形状の洗面器が用いられており、洗面器のその底面６２のほぼ全面に多数の突起６３が所定の間隔で上面に対して垂直に突出して形成されている。突起６３の直径、高さ、配置の間隔等については、実施例１に示した突起１８と同様である。この泡立用器具６１は、樹脂製形により突起６３も含めて一体で形成される。
【００２９】
実施例３においては、上記実施例２と同様に、泡立ブラシ３０の毛束３２に洗顔用洗剤や石鹸と水を含ませて、毛束先端を泡立用器具６１の底面６２に押し付けてかき混ぜることにより、泡が毛束３２と突起６３の間でこすられて細かく潰され、その結果、皮膚の毛穴に浸み込むことができる微細な径の泡が簡易に形成される。さらに、実施例３においては、泡立用器具６１の底面６２に毛束３２をこすり付けることにより、形成された泡が内部に収容されるので、泡のこぼれを心配することなく大量の泡を容易に形成することができる。そのため、実施例３においても実施例２と同様に、大量の泡を全身にこすりつけるような場合に使用すると非常に便利である。また、泡立用器具６１はそのまま洗面器としても使用できるので便利である。
【００３０】
なお、上記実施例１〜３においては、泡立用器具１１，５１，６１、ブラシ立２１を樹脂製とすることにより、軽量で安価に提供されるが、これに限らず金属製、セラミック製等とすることも可能である。また、実施例２においては、泡立用器具５１をゴム材料のような柔軟性のある材料製とすることも可能である。さらに、泡立用器具については、洗顔用のみではなく、ボディ洗浄用としても使用可能である。その他、上記実施例に示した泡立用器具については一例であり、本発明の趣旨を逸脱しない範囲において種々変更して実施することができる。
【産業上の利用可能性】
【００３１】
本発明は、泡立用器具の表面の複数個所に、適正な寸法の円柱状で先端が凸曲面状に丸められた複数の突起が適正な間隔で配設されているため、ブラシの毛束に洗顔用洗剤や石鹸と水を含ませて、毛束先端を泡立用器具の湾曲凹面に押し付けてかき混ぜることにより、毛束が湾曲凹面に適正に配置された適正な大きさの多数の突起に高速で接触することにより、皮膚の毛穴に浸み込むことができる微細な径の膨大な数の泡を簡単に形成できるので、有用である。
【図面の簡単な説明】
【００３２】
【図１】本発明の実施例１であるブラシ立付き泡立用器具を概略的に示す正面図である。
【図２】ブラシ立付き泡立用器具を概略的に示す平面図である。
【図３】ブラシ立付き泡立用器具を概略的に示す右側面図である。
【図４】ブラシ立付き泡立用器具に泡立ブラシを取り付けた状態を概略的に示す正面図である。
【図５】泡立用器具を示す正面図ある。
【図６】泡立用器具を示す平面図である。
【図７】泡立用器具を示す平面図である。
【図８】泡立用器具を示す左側面図である。
【図９】泡立用器具を示す右側面図ある。
【図１０】泡立用器具を示す図６のＸ−Ｘ線方向の断面図である。
【図１１】ブラシ立を示す正面図ある。
【図１２】ブラシ立を示す底面図である。
【図１３】ブラシ立を示す右側面図ある。
【図１４】泡立ブラシを示す正面図である。
【図１５】泡立ブラシのブラシ本体を示す一部破断正面図である。
【図１６】泡立ブラシのブラシ本体を示す底面図である。
【図１７】泡立ブラシの柄部を示す図１６のＹ−Ｙ線方向の一部破断面図ある。
【図１８】実施例２である泡立用器具を概略的に示す平面図である。
【図１９】泡立用器具の使用状態を概略的に示す一部破断正面図である。
【図２０】実施例３である泡立用器具を概略的に示す一部破断正面図である。
【符号の説明】
【００３３】
１０…ブラシ立付き泡立用器具、１１…泡立用器具、１２…基部、１３…支持板部、１６…膨出部、１７…湾曲凹面、１８…突起、１９…取付筒部、２１…ブラシ立、２２…把持板部、２４…支持棒部、２５…挿入部、２６…位置決め凸部、３０…泡立ブラシ、３１…ブラシ本体、３２…毛束、３６…リング金具、４１…柄部、５１…泡立用器具、５２…基部、５４…突起、５６…洗面器、６１…泡立用器具、６２…底面、６３…突起。
【図１】
2008132020.tif 000003
【図２】
2008132020.tif 000004
【図３】
2008132020.tif 000005
【図４】
2008132020.tif 000006
【図５】
2008132020.tif 000007
【図６】
2008132020.tif 000008
【図７】
2008132020.tif 000009
【図８】
2008132020.tif 000010
【図９】
2008132020.tif 000011
【図１０】
2008132020.tif 000012
【図１１】
2008132020.tif 000013
【図１２】
2008132020.tif 000014
【図１３】
2008132020.tif 000015
【図１４】
2008132020.tif 000016
【図１５】
2008132020.tif 000017
【図１６】
2008132020.tif 000018
【図１７】
2008132020.tif 000019
【図１８】
2008132020.tif 000020
【図１９】
2008132020.tif 000021
【図２０】
2008132020.tif 000022